(57)【要約】【課題】複数のＬＥＤが配置される光源領域とは異なる電源領域に複数の電源部品が配置されるＬＥＤランプにおいて、照明品質の低下を防止すること。【解決手段】光源領域１１に配置された複数のＬＥＤモジュール２と、電源領域１２に配置された複数の電源部品５と、複数のＬＥＤモジュール２および複数の電源部品５を収容するための管状のケース６と、を備えたＬＥＤランプＡ１であって、ケース６における電源領域１２に対応する範囲から外部に光を照射するための補助光源手段７を備える。【選択図】  図１
2010140843.tif 000002
【特許請求の範囲】
【請求項１】
光源領域に配置された複数のＬＥＤと、電源領域に配置された複数の電源部品と、上記複数のＬＥＤおよび上記複数の電源部品を収容するための管状のケースと、を備えたＬＥＤランプであって、
上記ケースにおける上記電源領域に対応する範囲から外部に光を照射するための補助光源手段を備えることを特徴とする、ＬＥＤランプ。
【請求項２】
上記補助光源手段は、上記電源領域に配置された追加のＬＥＤを備える、請求項１に記載のＬＥＤランプ。
【請求項３】
上記補助光源手段は、上記追加のＬＥＤからの光を内部に導入する光導入部と、上記ケースの内面に沿う部分筒状に形成され、上記光導入部からの光を進行させつつ外側部分の光出射面から出射させる光出射部と、を有する導光部材を備える、請求項２に記載のＬＥＤランプ。
【請求項４】
上記補助光源手段は、上記複数のＬＥＤのうち少なくとも１つからの光を内部に導入する光導入部と、上記ケースの内面に沿う部分筒状に形成され、上記光導入部からの光を進行させつつ外側部分の光出射面から出射させる光出射部と、を有する導光部材を備える、請求項１に記載のＬＥＤランプ。
【請求項５】
上記光出射部の内側部分は、上記光導入部から導入した光を上記光出射面に向けて反射させる光反射面とされている、請求項３または４に記載のＬＥＤランプ。
【請求項６】
上記複数のＬＥＤは、第１の基板の一方の面に実装され、上記複数の電源部品は、第２の基板の両面に実装されている、請求項１ないし５に記載のＬＥＤランプ。
【請求項７】
上記ケースは円形断面を有する直管状とされており、
上記第１の基板と上記第２の基板とは、基板の厚さ方向に間隔を隔てて配置されており、
上記第１の基板は、上記ケースの中心軸から半径方向に偏倚した位置にあり、
上記第２の基板は、上記第１の基板よりも上記中心軸寄りに位置している、請求項６に記載のＬＥＤランプ。
【請求項８】
上記ケースには、上記ケースの中心軸に平行な面内において対をなすようにして内側に突出する突出片が一体形成されており、
上記第１の基板は、上記突出片によって上記ケースに対する半径方向の移動が規制される、請求項７に記載のＬＥＤランプ。
【請求項９】
上記ケースには、上記ケースの中心軸に平行な面内において対をなすようにして内側に突出する突出片が一体形成されており、
上記導光部材は、上記突出片によって上記ケースに対する移動が規制される、請求項３または４に記載のＬＥＤランプ。
【請求項１０】
上記複数のＬＥＤは、基板に実装されており、
上記基板は、上記突出片によって上記ケースに対する移動が規制される、請求項９に記載のＬＥＤランプ。
【発明の詳細な説明】
【技術分野】
【０００１】
本発明は、ＬＥＤを光源とし、蛍光ランプの代替として利用するのに適したＬＥＤランプに関する。
【背景技術】
【０００２】
図７は、従来のＬＥＤランプの一例を断面図で示している（たとえば特許文献１参照）。同図に示されたＬＥＤランプＸは、長矩形状の基板９１と、基板９１上に実装された複数のＬＥＤ９２と、基板９１を収容する管９３と、端子９４と、ＬＥＤ９２を点灯させるための回路９５とを備えている。基板９１上には複数のＬＥＤ９２および端子９４に接続される図示しない配線が形成されている。このＬＥＤランプＸは、端子９４を一般用蛍光灯照明器具のソケットの差込口に嵌合させることにより、複数のＬＥＤ９２を発光させることができるように構成されている。ＬＥＤ９２は、低消費電力であるとともに長寿命であることから、ＬＥＤランプＸを蛍光ランプの代替として利用すれば、コスト面および環境面において改善が期待できる。なお、一般用蛍光灯照明器具とは、主に屋内の一般照明に広く用いられる照明器具であり、たとえば日本国内においては、商用１００Ｖ電源を用い、ＪＩＳ  Ｃ７６１７に定められた直管形蛍光ランプまたはＪＩＳ  Ｃ７６１８に定められた環形蛍光ランプが取り付けられる照明器具をいう。
【０００３】
上記従来のＬＥＤランプＸにおいては、基板９１に実装される回路９５は、商用電源から供給される交流を直流に変換し、定電流としてＬＥＤに供給するためのものであり、複数の電源部品を含んで構成されている。したがって、かかる構成の回路９５は、好ましくは、電力供給部である端子９４の近傍、すなわち、ＬＥＤランプＸの両端近傍に設けられる。
【０００４】
その一方、回路９５は、基板９１の裏側の面（複数のＬＥＤ９２が実装された面とは反対側の面）に実装されている。ＬＥＤ９２で発せられた熱の影響を考慮すると、回路９５を構成する複数の電源部品は、図７のようにＬＥＤ９２と重なる位置に配置するのではなく、ＬＥＤ９２と重ならないように基板９１の長手方向にずらして当該長手方向の両端部に配置するのが好ましい。すなわち、複数の電源部品は、複数のＬＥＤ９２が配置される領域（光源領域）とは異なる領域（電源領域）に区別して配置するのが好ましい。
【０００５】
しかしながら、上記複数の電源部品を、ＬＥＤ９２が配置される光源領域と区別して電源領域（基板９１の両端部）に配置すると、基板９１の両端部近傍にはＬＥＤ９２を配置することができない。その結果、基板９１の両端部近傍が非発光領域となってしまい、このことに起因して蛍光ランプＸの照明品質の低下を招く虞があるので、好ましくない。
【０００６】
【特許文献１】実開平６−５４１０３号公報
【発明の開示】
【発明が解決しようとする課題】
【０００７】
本発明は、上記した事情のもとで考え出されたものであって、複数のＬＥＤが配置される光源領域とは異なる電源領域に複数の電源部品が配置されるＬＥＤランプにおいて、照明品質の低下を防止することを課題とする。
【課題を解決するための手段】
【０００８】
本発明によって提供されるＬＥＤランプは、光源領域に配置された複数のＬＥＤと、電源領域に配置された複数の電源部品と、上記複数のＬＥＤおよび上記複数の電源部品を収容するための管状のケースと、を備えたＬＥＤランプであって、上記ケースにおける上記電源領域に対応する範囲から外部に光を照射するための補助光源手段を備えることを特徴としている。
【０００９】
このような構成によれば、補助光源手段を具備することによって、ケースにおける電源領域に対応する範囲からも外部に光が照射される。これにより、電源領域の存在に起因する照明品質の低下を防止することができる。
【００１０】
本発明の１つの実施の形態においては、上記補助光源手段は、上記電源領域に配置された追加のＬＥＤを備える。この場合において、好ましくは、上記補助光源手段は、上記追加のＬＥＤからの光を内部に導入する光導入部と、上記ケースの内面に沿う部分筒状に形成され、上記光導入部からの光を進行させつつ外側部分の光出射面から出射させる光出射部と、を有する導光部材を備える。
【００１１】
このように電源領域に追加のＬＥＤが配置されていると、ケースにおける電源領域に対応する範囲まで効率よく光を届かせることができる。また、上記構成の導光部材を備える場合には、追加のＬＥＤからの光を、この導光部材を介して、ケースにおける電源領域に対応する範囲から外部に向けて満遍なく照射させることができる。このことは、照明品質の低下を防止するうえで好適である。
【００１２】
本発明の他の実施の形態においては、上記補助光源手段は、上記複数のＬＥＤのうち少なくとも１つからの光を内部に導入する光導入部と、上記ケースの内面に沿う部分筒状に形成され、上記光導入部からの光を進行させつつ外側部分の光出射面から出射させる光出射部と、を有する導光部材を備える。このような構成によれば、既存のＬＥＤからの光を、導光部材を介して、ケースにおける電源領域に対応する範囲から外部に向けて満遍なく照射させることができる。このことは、照明品質の低下を防止するうえで好適である。
【００１３】
本発明の好ましい実施の形態においては、上記光出射部の内側部分は、上記光導入部から導入した光を上記光出射面に向けて反射させる光反射面とされている。このような構成によれば、導光部材の内部において進行する光を、光反射面によって反射させて、より効率よく光出射面に向かわせることができる。
【００１４】
本発明の好ましい実施の形態においては、上記複数のＬＥＤは、第１の基板の一方の面に実装され、上記複数の電源部品は、第２の基板の両面に実装されている。このような構成によれば、複数の電源部品が第２の基板の両面に実装されることから、第２の基板の一方の面にだけ電源部品が実装される場合に比べて電源部品の実装効率が高まり、第２の基板の占有面積を小さくすることができる。これにより、電源領域の狭小化を図ることができ、光源領域の面積を実質的に大きく確保することができる。したがって、上記構成のＬＥＤランプによれば、照明品質の向上を図ることができる。
【００１５】
本発明の好ましい実施の形態においては、上記ケースは円形断面を有する直管状とされており、上記第１の基板と上記第２の基板とは、基板の厚さ方向に間隔を隔てて配置されており、上記第１の基板は、上記ケースの中心軸から半径方向に偏倚した位置にあり、上記第２の基板は、上記第１の基板よりも上記中心軸寄りに位置している。このように第２の基板が第１の基板よりもケースの中心軸寄りに位置していれば、第２の基板について、ケースの中心軸に直角である幅方向の寸法を、第１の基板よりも大きく確保することができる。したがって、第２の基板について一定の占有面積を確保する場合において、ケースの中心軸に沿う長手方向の寸法を小さくすることができ、電源領域のさらなる狭小化を図ることができる。このことは、ＬＥＤランプの照明品質の向上を図るうえでより好適である。
【００１６】
本発明の好ましい実施の形態においては、上記ケースには、上記ケースの中心軸に平行な面内において対をなすようにして内側に突出する突出片が一体形成されており、上記第１の基板は、上記突出片によって上記ケースに対する半径方向の移動が規制される。
【００１７】
本発明の好ましい実施の形態においては、上記ケースには、上記ケースの中心軸に平行な面内において対をなすようにして内側に突出する突出片が一体形成されており、上記導光部材は、上記突出片によって上記ケースに対する移動が規制される。この場合において、好ましくは、上記複数のＬＥＤが実装される基板、および上記導光部材は、それぞれ、上記突出片によって上記ケースに対する移動が規制される。
【００１８】
本発明のその他の特徴および利点は、添付図面を参照して以下に行う詳細な説明によって、より明らかとなろう。
【発明を実施するための最良の形態】
【００１９】
以下、本発明の好ましい実施の形態につき、図面を参照して具体的に説明する。なお、説明の便宜上、図１を基準として上下の方向を特定することにする。
【００２０】
図１〜図３は、本発明に係るＬＥＤランプの一例を示している。本実施形態のＬＥＤランプＡ１は、光源基板１と、複数のＬＥＤモジュール２と、放熱部材３と、電源基板４と、複数の電源部品５と、ケース６と、補助光源手段７と、一対の口金８とを備えており、たとえば直管形蛍光ランプの代替として一般用蛍光灯照明器具に取り付けて用いられる。
【００２１】
光源基板１は、たとえばガラスエポキシ樹脂製であり、長矩形状に形成されている。光源基板１の表面の適所には、図示しない配線が形成されている。光源基板１は、後述する放熱部材３上に積層配置されており、たとえばネジなどを用いて放熱部材３に取り付けられている。
【００２２】
複数のＬＥＤモジュール２は、ＬＥＤランプＡ１の光源であり、光源基板１の上面１ａに実装されている。これらＬＥＤモジュール２は、光源基板１の長手方向に沿って所定間隔を隔てて並ぶように配置されており、たとえば図示しない配線によって直列につながれている。また、図１および図２に表れているように、複数のＬＥＤモジュール２は、光源基板１の長手方向における両端部を除いた位置である光源領域１１に配置されている。ＬＥＤモジュール２としては、たとえば表面実装用のパッケージ型に構成された白色ＬＥＤが好適に用いられる。
【００２３】
放熱部材３は、たとえばＡｌからなり、光源基板１の長手方向に沿って延びる細長ブロック状とされている。図３によく表れているように、放熱部材３の表面には複数の凹部３１が形成されており、凹凸を有する形状となっている。凹部３１は、光源基板１の長手方向に沿って放熱部材３のほぼ全長にわたって形成されている。これらの凹部３１は、放熱部材３を形成する際に用いる金型に凸部を設けることによって形成することができる。
【００２４】
電源基板４は、たとえばガラスエポキシ樹脂製であり、長矩形状に形成されている。電源基板４の表面の適所には、図示しない配線が形成されている。電源基板４は、複数の金属製のリード４１よって光源基板１に取り付けられている。複数のリード４１は、たとえば、一方の端部が電源基板４の長手方向両端部に対してハンダ付けによって固定されており、他方の端部が光源基板１の上面１ａに設けられた図示しないパッドにハンダ付けされている。これにより、電源基板４は、光源基板１ないし放熱部材３に対して離間して配置されている。なお、光源基板１の配線と電源基板４の配線とは、リード４１を介して電気的導通が図られている。
【００２５】
複数の電源部品５は、ＬＥＤモジュール２および後述する補助ＬＥＤモジュール７１を点灯させるための電源回路として機能するものであり、電源基板４の両面（上面４ａおよび下面４ｂ）に実装されている。複数の電源部品５は、ＡＣ／ＤＣコンバータ５１と、コンデンサや抵抗器などの他の機能部品５２とを含み、商用電源から供給される交流を直流定電流に変換してＬＥＤモジュール２および後述の補助ＬＥＤモジュール７１に供給するように構成されたものである。ＡＣ／ＤＣコンバータ５１は、電源基板４に実装される他の部品に比べて、空間に占めるサイズが大きい。
【００２６】
複数の電源部品５、およびこれら電源部品５が実装された電源基板４は、光源基板１の長手方向における両端部に位置する電源領域１２に配置されている。
【００２７】
ケース６は、光源基板１、放熱部材３、および電源基板４を収容するためのものであり、図３によく表れているように、円形断面を有する直管状の円筒形とされている。ケース６の内面には、内側に突出させられた一対の突出片６１が一体形成されている。これら突出片６１は、それぞれ、ケース６の中心軸Ｏ１から下方（半径方向）に偏倚し、かつ当該中心軸Ｏ１に平行な面内において突出しているとともに、上記中心軸Ｏ１に沿う方向に延びている。このような構成のケース６は、たとえばポリカーボネートなどの合成樹脂からなり、押出成形によって一体形成される。
【００２８】
上記構成の光源基板１および放熱部材３については、図３における突出片６１の下方に収容することができるように、光源基板１ないし放熱部材３の幅寸法、および放熱部材３の上下方向の寸法が規定されている。図３に表された収容状態において、光源基板１は、上面１ａが突出片６１と当接することによってケース６に対する上記中心軸Ｏ１に垂直な方向（図中上方向）の移動が規制されており、また、放熱部材３の下部は、ケース６の下部内面に当接している。
【００２９】
ここで、光源基板１は、ケース６の中心軸Ｏ１から上面１ａとは反対側に偏倚した位置にあり、電源基板４は、ケース６の中心軸Ｏ１近傍に位置している。このように、電源基板４が光源基板１よりも中心軸Ｏ１寄りに位置していることから、電源基板４の幅寸法を、光源基板１の幅寸法よりも大とすることができる。光源基板１、放熱部材３、および電源基板４のケース６内への収容は、突出片６１の下方において、光源基板１および放熱部材３をスライドさせながらケース６内に挿入することにより行う。
【００３０】
補助光源手段７は、ケース６における電源領域１２に対応する範囲から外部に光を照射するためのものであり、複数の補助ＬＥＤモジュール７１と、導光部材７２とを備えて構成されている。ここで、「ケース６における電源領域１２に対応する範囲」とは、ケース６のうち、光源基板１より上方に位置する部分であって、電源領域１２に対してケース６の長手方向においてほぼ重なる範囲を意味する。
【００３１】
複数の補助ＬＥＤモジュール７１は、光源基板１の上面１ａに実装されている。具体的には、これら補助ＬＥＤモジュール７１は、光源基板１の電源領域１２に配置されており、光源基板１の幅方向の両端寄りにおいて当該光源基板１の長手方向に沿って所定間隔を隔てて並んでいる。補助ＬＥＤモジュール７１は、ＬＥＤモジュール２に比べてサイズおよび消費電力が小さく、ＬＥＤランプＡ１の光源として補助的な役割を担う。補助ＬＥＤモジュール７１としては、ＬＥＤモジュール２と同様に、たとえば表面実装用のパッケージ型に構成された白色ＬＥＤが好適に用いられる。
【００３２】
導光部材７２は、補助ＬＥＤモジュール７１からの光をケース６に効率よく導くためのものであり、たとえば、ＰＭＭＡ（ポリメタクリル酸メチル）などのアクリル樹脂からなる透明度が高い部材によって構成されている。導光部材７２は、大略部分円筒状とされており、ケース６の内側において、電源領域１２に対応する位置に配置されている。導光部材７２は、たとえば金型を用いた射出成形によって形成されたものであり、図２および図３に表れているように、光導入部７２１および光出射部７２２を有している。光導入部７２１および光出射部７２２の周面は、なめらかな鏡面状とされている。
【００３３】
光導入部７２１は、補助ＬＥＤモジュール７１からの光を導光部材７２内部に導入する部分であり、補助ＬＥＤモジュール７１に対向する位置にある端面が光入射面７２１ａとなっている。本実施形態においては、光導入部７２１は、適宜屈曲した形状とされており、光出射部７２２の円周方向における両端部につながるように設けられている。なお、光導入部７２１の光入射面７２１ａ以外の周面には、たとえば白色塗装が施されており、光導入部７２１内部に進入した光が外部に不当に漏れるといった不都合は防止されている。
【００３４】
光出射部７２２は、ケース６の中心軸Ｏ１に沿う長手方向において一様な部分円筒状とされており、内側部分に形成された光反射面７２２ａと、外側部分に形成された光出射面７２２ｂとを有している。光反射面７２２ａは、光導入部７２１を介して進行してきた光を、この光反射面７２２ａに対向する光出射面７２２ｂに向けて反射させるための面であり、たとえば白色塗装が施されることによって光散乱反射機能を有する。光出射面７２２ｂは、光反射面７２２ａによって反射された光をケース６に向けて出射させるための面であり、ケース６の内面にほぼ密着するように位置している。なお、光反射面７２２ａとしては、白色塗装を施すことによって形成されたものに代えて、微細粗面とすることによって形成されたものとしてもよい。この場合、微細粗面は、導光部材７２を成形するための金型の一部をシボ加工によってあらしたり、成形後に所定部分に対してブラスト処理を施したりすることなどにより形成される。
【００３５】
上記構成の導光部材７２については、図３におけるケース６の突出片６１の上方に収容することができるように、各所の寸法が規定されている。図３に表された収容状態において、導光部材７２は、光導入部７２１が突出片６１と当接することによって、ケース６に対する上記中心軸Ｏ１に垂直な方向（図中下方向）ないしケース６の円周方向の移動が規制されている。導光部材７２のケース６内への収容は、突出片６１の上方において、導光部材７２をスライドさせながらケース６内に挿入することにより行う。
【００３６】
一対の口金８は、蛍光灯照明器具のソケットに装着することにより、商用交流電源から電力供給するためのものである。図２に表れているように、口金８は、有底円筒状のカバー体８１と、カバー体８１の中空部に収容保持された樹脂ブロック８２と、２本の端子８３とを備えている。樹脂ブロック８２には凹部８２ａが形成されており、この凹部８２ａに放熱部材３の長手方向端部を嵌挿することにより、口金８は放熱部材３に取り付けられている。これにより、ＬＥＤランプＡ１において、放熱部材３は、一対の口金８によって支持された状態となっている。
【００３７】
カバー体８１と樹脂ブロック８２との間には部分円筒状の隙間が設けられており、口金８が放熱部材３に取り付けられた状態において、ケース６の長手方向両端部が上記隙間に挿入されている。端子８３は、カバー体８１および樹脂ブロック８２に貫通する状態で設けられている。端子８３の一端部（外側の端部）は、蛍光灯照明器具の上記ソケットの差込口に嵌合される部分であり、端子８３の他端部は、光源基板１の配線との間で電気的導通が図られている。
【００３８】
次に、上記構成のＬＥＤランプＡ１の作用について説明する。
【００３９】
ＬＥＤランプＡ１を使用する際には、口金８の端子８３を蛍光灯照明器具のソケットの差込口に嵌合させたうえで電力を供給することにより、ＬＥＤモジュール２および補助ＬＥＤモジュール７１を発光させることができる。
【００４０】
本実施形態のＬＥＤランプＡ１は、上述したように、ケース６における電源領域１２に対応する範囲から外部に光を照射するための補助光源手段７を具備している。このため、ＬＥＤランプＡ１の使用時には、ケース６における光源領域１１に対応する範囲のみならず、ケース６における電源領域１２に対応する範囲からも外部に光が照射される。したがって、ＬＥＤランプＡ１においては、電源領域１２の存在に起因する照明品質の低下を防止することができる。
【００４１】
本実施形態においては、補助光源手段７は、複数の補助ＬＥＤモジュール７１、および導光部材７２を備えている。そして、複数の補助ＬＥＤモジュール７１は光源基板１の電源領域１２に配置されているため、ケース６における電源領域１２に対応する範囲まで効率よく光を届かせることができる。また、導光部材７２を具備することにより、補助ＬＥＤモジュール７１からの光を、導光部材７２を介して、ケース６における電源領域１２に対応する範囲から外部に向けて満遍なく照射させることができる。このことは、ＬＥＤランプＡ１の照明品質の低下を防止するうえで好適である。
【００４２】
導光部材７２の光出射部７２２には、光導入部７２１を介して導入した補助ＬＥＤモジュール７１からの光を光出射面７２２ｂに向けて反射させる光反射面７２２ａが設けられている。このため、導光部材７２の内部において進行する光は、光反射面７２２ａによって反射し、より効率よく光出射面７２２ｂに向かう。また、光反射面７２２ａが光散乱反射機能を有することから、光出射面７２２ｂから出射する光の各所の光量の均一化を図ることができる。このことは、ＬＥＤランプＡ１の照明品質の低下を防止するうえで、より好適である。
【００４３】
本実施形態においては、複数の電源部品５が電源基板４の両面（上面４ａおよび下面４ｂ）に実装されることから、たとえば電源基板４の上面４ａにだけ電源部品５が実装される場合に比べて電源部品５の実装効率が高まり、電源基板４の占有面積を小さくすることができる。したがって、電源基板４について、ケース６の中心軸Ｏ１に沿う長手方向の寸法を小さくすることができる。これにより、光源基板１における電源領域１２の狭小化を図ることができ、光源領域１１の面積を実質的に大きく確保することができる。かかる構成のＬＥＤランプＡ１によれば、照明品質の向上を図ることができる。
【００４４】
電源基板４は、光源基板１よりもケース６の中心軸Ｏ１寄りに位置している。このため、電源基板４について、ケース６の中心軸Ｏ１に直角である幅方向の寸法を、光源基板１の幅寸法よりも大きく確保することができる。したがって、電源基板４について一定の占有面積を確保する場合において、ケース６の中心軸Ｏ１に沿う長手方向の寸法を小さくすることができ、電源領域１２のさらなる狭小化を図ることができる。このことは、ＬＥＤランプＡ１の照明品質の向上を図るうえでより好適である。
【００４５】
本実施形態では、光源基板１が放熱部材３上に積層配置されている。このため、ＬＥＤモジュール２および補助ＬＥＤモジュール７１の点灯時に発生する熱を、放熱部材３を介して外部に効果的に逃がすことができ、ＬＥＤモジュール２および補助ＬＥＤモジュール７１の劣化を防止することができる。また、放熱部材３は、ケース６の長手方向のほぼ全体に沿って延びていることから、ＬＥＤランプＡ１の構造材として機能し得る。したがって、このような放熱部材３を備える構成によれば、ＬＥＤランプＡ１において適度な剛性を確保することができる。
【００４６】
上述のように、ケース６の内側には対をなす突出片６１が設けられており、これら突出片６１が光源基板１の幅方向の両端において上面１ａと当接することによって、光源基板１は、ケース６の中心軸Ｏ１に垂直な方向（ケース６の半径方向）の移動が規制される。また、上記一対の突出片６１が導光部材７２の光導入部７２１と当接することによって、導光部材７２は、ケース６の中心軸Ｏ１に垂直な方向（ケース６の半径方向）ないしケース６の円周方向の移動が規制される。これにより、ＬＥＤランプＡ１の組み立て時には、ケース６内に光源基板１および導光部材７２を挿入するだけで、ケース６に対する光源基板１および導光部材７２の相対的な位置決めを図ることができる。したがって、ＬＥＤランプＡ１の組み立て作業を容易に行うことができる。
【００４７】
図４〜図６は、本発明に係るＬＥＤランプの他の例を示している。なお、これらの図面においては、上記実施形態と同一または類似の要素には、上記実施形態と同一の符号を付しており、適宜説明を省略する。
【００４８】
図４および図５に示されたＬＥＤランプＡ２においては、補助光源手段７の構成が上記実施形態のＬＥＤランプＡ１と異なっている。ＬＥＤランプＡ２は、補助ＬＥＤモジュール７１を備えておらず、ＬＥＤモジュール２からの光を、導光部材７２を介して、ケース６における電源領域１２に対応する範囲に導くように構成されている。本実施形態の導光部材７２は、上記実施形態に比べて種々の変更が施されている。
【００４９】
導光部材７２の光導入部７２１は、光源基板１の長手方向における両端側に位置するＬＥＤモジュール２からの光を導光部材７２内部に導入するためのものであり、当該ＬＥＤモジュール２に対向する端面が光入射面７２１ａとなっている。光導入部７２１は、適宜湾曲した形状とされており、光出射部７２２の長手方向における一端部につながるように設けられている。図５よく表れているように、導光部材７２は、光出射部７２２の円周方向における端面が突出片６１と当接することによって、ケース６に対する中心軸Ｏ１に垂直な方向（図中下方向）ないしケース６の円周方向の移動が規制されている。
【００５０】
本実施形態のＬＥＤランプＡ２においては、既存のＬＥＤモジュール２からの光を、導光部材７２を介して、ケース６における電源領域１２に対応する範囲から外部に向けて満遍なく照射させることができる。このことは、ＬＥＤランプＡ２の照明品質の低下を防止するうえで好適である。また、ＬＥＤランプＡ２においては、追加のＬＥＤを設ける必要がないので、複数の電源部品５を用いて構成される電源回路の簡素化が期待できる。
【００５１】
図６に示されたＬＥＤランプＡ３においては、補助光源手段７の構成が上記実施形態のＬＥＤランプＡ１と異なっている。ＬＥＤランプＡ３においては、複数の補助ＬＥＤモジュール７１の配置が上記実施形態と異なっており、また、導光部材７２を備えていない。本実施形態では、複数の補助ＬＥＤモジュール７１は、電源基板４の上面に実装されており、電源基板４の幅方向の両端寄りにおいて当該電源基板４の長手方向に沿って所定間隔を隔てて並んでいる。
【００５２】
本実施形態のＬＥＤランプＡ３においては、電源基板４に実装された補助ＬＥＤモジュール７１からの光を、ケース６における電源領域１２に対応する範囲から外部に向けて照射させることができる。また、電源基板４は、光源基板１に比べて、補助ＬＥＤモジュールからの光がケース６の外部に主として照射される方向（図中上方）に偏倚して位置している。このため、補助ＬＥＤモジュール７１から発せられた光は、ケース６における電源領域１２に対応する範囲まで効率よく届く。
【００５３】
本発明に係るＬＥＤランプは、上述した実施形態に限定されるものではない。本発明に係るＬＥＤランプの各部の具体的な構成は、種々に設計変更自在である。
【図面の簡単な説明】
【００５４】
【図１】本発明に係るＬＥＤランプの一例を示す斜視図である。
【図２】図１のＩＩ−ＩＩ線に沿う要部断面図である。
【図３】図２のＩＩＩ−ＩＩＩ線に沿う拡大断面図である。
【図４】本発明に係るＬＥＤランプの他の例を示す図２と同様の断面図である。
【図５】図４のＶ−Ｖ線に沿う拡大断面図である。
【図６】本発明に係るＬＥＤランプの他の例を示す斜視図である。
【図７】従来のＬＥＤランプの一例を示す断面図である。
【符号の説明】
【００５５】
Ａ１，Ａ２，Ａ３      ＬＥＤランプ
Ｏ１      （ケースの）中心軸
１        光源基板（第１の基板）
２        ＬＥＤモジュール（ＬＥＤ）
３        放熱部材
４        電源基板（第２の基板）
５        電源部品
６        ケース
７        補助光源手段
８        口金
１ａ      上面（ＬＥＤの実装面）
４ａ      （第２の基板の）上面
４ｂ      （第２の基板の）下面
１１      光源領域
１２      電源領域
４１      リード
５１      ＡＣ／ＤＣコンバータ
６１      突出片
７１      補助ＬＥＤモジュール
７２      導光部材
８１      カバー体
８２      樹脂ブロック
８３      端子
７２１    光導入部
７２１ａ  光入射面
７２２    光出射部
７２２ａ  光反射面
７２２ｂ  光出射面
【図１】
2010140843.tif 000003
【図２】
2010140843.tif 000004
【図３】
2010140843.tif 000005
【図４】
2010140843.tif 000006
【図５】
2010140843.tif 000007
【図６】
2010140843.tif 000008
【図７】
2010140843.tif 000009